(57)【要約】【課題】コンテンツの利便性を享受しつつ、コレクションという楽しみ方を再びユーザに提供できるツールおよびシステムを提供する。【解決手段】格納したコンテンツを示すシール２４１が貼付されたメモリカード１１を保管するホルダー５０を利用してコレクションを訴求するシステムである。ホルダー５０は、メモリカード１１を収納するメモリポケット５３と、コンテンツの情報が表示されたコンテンツ情報部５５とを備える。コンテンツ情報部５５は、ホルダー５０に印刷するか、あるいはカードポケット５５ｂに収納したコンテンツ情報カード５５ａで構成する。広告ちらし１４か、あるいはコンテンツ情報カード５５ａに貼付した、デザインされたシール２４１を剥がしてメモリカード１１に貼付し、そのコンテンツのコンテンツ情報部５５と隣接するメモリポケット５３に収納する。【選択図】図３
2008126439.tif 000002
【特許請求の範囲】
【請求項１】
メモリカードを保管するメモリカード用ホルダーであって、
メモリカードを出し入れ可能に収納する複数のメモリポケットと、
各メモリポケットに隣接して、それぞれ異なるコンテンツの情報が表示されたコンテンツ情報部と、
を備え、
ダウンロードして得られるコンテンツが格納されるとともに、格納されるコンテンツの内容を表示するシールが貼付されたメモリカードを、そのコンテンツの情報を表示するコンテンツ情報部と隣接するメモリポケットに収納可能としたことを特徴とするメモリカード用ホルダー。
【請求項２】
請求項１に記載のメモリカード用ホルダーであって、
コンテンツ情報部に、そのコンテンツを供給するサイトに接続するためのアクセス情報が表示されていることを特徴とするメモリカード用ホルダー。
【請求項３】
請求項１または請求項２に記載のメモリカード用ホルダーであって、
コンテンツ情報部が、
メモリポケットに隣接して形成されたカードポケットと、
カードポケットに出し入れ可能に収納されて、コンテンツの情報が表示されたコンテンツ情報カードと、
を含んで構成されており、
コンテンツ情報カードに、そのコンテンツの内容を表示するシールが着脱可能に貼付されており、
前記シールを剥がしてメモリカードに貼付できるようにしたことを特徴とするメモリカード用ホルダー。
【請求項４】
請求項３に記載のメモリカード用ホルダーであって、
コンテンツ情報カードのシールが貼付されるシール貼付領域に、そこに貼付されるシールとは異なるコンテンツの内容が表示されていることを特徴とするメモリカード用ホルダー。
【請求項５】
メモリカードを保管するメモリカード用ホルダーであって、
複数のコンテンツを格納するメモリカード、を出し入れ可能に収納するメモリポケットと、
コンテンツの情報が表示されたコンテンツ情報カードを出し入れ可能に収納する複数のカードポケットと、
を含んで構成される複数の保管ユニット、
を備え、
各保管ユニットが、そこに収納される各メモリカードと関連付けされて、他の保管ユニットおよびメモリカードと区別可能に設けられていることを特徴とするメモリカード用ホルダー。
【請求項６】
請求項５に記載のメモリカード用ホルダーであって、
各保管ユニットと、そこに収納される各メモリカードとが、色によって関連付けされており、他の保管ユニットおよびメモリカードと、色が一致するか否かによって区別可能に設けられていることを特徴とするメモリカード用ホルダー。
【請求項７】
コンテンツを供給するサイトと、
コンテンツを広告する広告媒体と、
コンテンツを格納するメモリカードと、
メモリカードを保管するメモリカード用ホルダーと、
を備え、
広告媒体は、
広告媒体に着脱可能に貼付されて、コンテンツの内容を表示するシール、
を備え、
メモリカード用ホルダーは、
メモリカードを出し入れ可能に収納する複数のメモリポケットと、
各メモリポケットに隣接して、それぞれ異なるコンテンツの情報が表示されたコンテンツ情報部と、
を備え、
サイトからダウンロードして得られるコンテンツがメモリカードに格納され、コンテンツが格納されるメモリカードに、そのコンテンツの内容を表示するシールが広告媒体から剥がされて貼付されたときには、
そのメモリカードは、そのコンテンツの情報を表示するコンテンツ情報部と隣接するメモリポケットに収納されることを特徴とするコンテンツ収集システム。
【請求項８】
コンテンツを供給するサイトと、
コンテンツを格納するメモリカードと、
コンテンツの情報を表示するコンテンツ情報カードと、
メモリカードを保管するメモリカード用ホルダーと、
を備え、
メモリカード用ホルダーは、
メモリカードを出し入れ可能に収納するメモリポケットと、
メモリポケットに隣接して形成されて、コンテンツ情報カードを出し入れ可能に収納するカードポケットと、
を備え、
コンテンツ情報カードは、
コンテンツ情報カードに着脱可能に貼付されて、そのコンテンツの内容を表示するシール、
を備え、
サイトからダウンロードして得られるコンテンツがメモリカードに格納され、コンテンツが格納されるメモリカードに、そのコンテンツの内容を表示するシールがコンテンツ情報カードから剥がされて貼付されたときには、
そのメモリカードは、そのコンテンツの情報を表示するコンテンツ情報カードが収納されているカードポケット、と隣接するメモリポケットに収納されることを特徴とするコンテンツ収集システム。
【請求項９】
コンテンツを供給するサイトと、
複数のコンテンツを格納するメモリカードと、
コンテンツの情報を表示するコンテンツ情報カードと、
メモリカードを保管するメモリカード用ホルダーと、
を備え、
メモリカード用ホルダーは、
メモリカードを出し入れ可能に収納するメモリポケットと、
コンテンツ情報カードを出し入れ可能に収納する複数のカードポケットと、
を含んで構成される複数の保管ユニット、
を備え、
各保管ユニットは、そこに収納される各メモリカードと関連付けされて、他の保管ユニットおよびメモリカードと区別可能に設けられており、
メモリカードに、サイトからダウンロードして得られるコンテンツが格納されたときには、
そのメモリカードは、関連付けされた保管ユニットのメモリポケットに収納されるとともに、そのコンテンツの情報を表示するコンテンツ情報カードが、そのコンテンツが格納されるメモリカードと関連付けされて、保管ユニットのカードポケットに収納されることを特徴とするコンテンツ収集システム。
【発明の詳細な説明】
【技術分野】
【０００１】
本発明は、ダウンロードして得られるコンテンツを格納するメモリカード用のホルダー、およびこれを用いたコンテンツ収集システムに関する。
【背景技術】
【０００２】
ＳＤカード等、デジタルデータを記録、保存する小さな各種メモリカードが様々な用途で利用されている（非特許文献１）。生産技術の進歩によって、メモリカードも、より小型化、大容量化、低価格化してきており、今後さらにその用途の拡大が予想される。
【０００３】
例えば、インターネットの音楽サイトから音楽データをダウンロードして、内蔵された記憶装置や装着したメモリカードに格納し、その音楽を携帯再生機器で聴いて楽しむという利用形態が人気である（非特許文献２）。最近では、音楽よりも格段にデータ容量が求められる動画を含んだゲームソフトや映画などにも利用されつつある。
【０００４】
インターネットを通じて音楽やゲーム、映画などのコンテンツを市場に供給するコンテンツ供給会社は、コンテンツのダウンロードを促進するために様々な方法で広告を行っている。たとえば、音楽であれば、ＷＥＢ上で人気アーチストの最新アルバムの広告を表示したり、ＣＤ販売店で配布している音楽雑誌やフリーペーパーに最新アルバムの広告を出したりしている。その広告には、ダウンロードサイトのＵＲＬなどが印刷されており、ユーザに対してダウンロード操作をナビゲートするようにしている（非特許文献３）。
【０００５】
【非特許文献１】“メモリカードとは”，ＰＣＶｉｅｗ，ＮＴＴ  ＰＣ  ＣＯＭＭＵＮＩＣＡＴＩＯＮＳ，[平成１８年１０月１９日検索]，インターネット＜ＵＲＬ：http://www.pc-view.net/word_id-0708.html＞
【非特許文献２】“シリコンオーディオとは”，ＰＣＶｉｅｗ，ＮＴＴ  ＰＣ  ＣＯＭＭＵＮＩＣＡＴＩＯＮＳ，[平成１８年１０月１９日検索]，インターネット＜ＵＲＬ：http://www.pc-view.net/word_id-1203.html＞
【非特許文献３】“フリーペーパーって何？”，日本生活情報紙協会，[平成１８年１０月１９日検索]，インターネット＜ＵＲＬ：http://www.jafna.or.jp/freepaper_1.html＞
【発明の開示】
【発明が解決しようとする課題】
【０００６】
最近では音楽やゲームなどのコンテンツをそのまま再生機器に一括して格納する形態が人気である。しかし、物を収集する（コレクション）という習慣は、人間が本能的に備えた習慣であり、それ自体に意義がある。かつて、レコードやビデオディスクを収集していた人は、様々なデザインのジャケットを見て楽しんだものである。レコードやビデオディスクを収集していた人にとっては、ジャケットを含めてコレクションの対象であった。
【０００７】
したがって、再生機器にコンテンツを一括して格納する形態は、利便性の追求という点では常に受け入れられる技術であるが、物をコレクションするという習慣、趣向に対しては相反する技術である。
【０００８】
従来から広告媒体としてメーリングリスト、ＷＥＢページ、ＷＥＢアフィリエイト、ちらし等が存在する。それら広告媒体は、印刷あるいは表示されている文字、情報に価値が存在するのであり、その広告媒体自体には価値を見出せるものではなかった。つまり、広告媒体自体に物質的な価値はあまり存在しない。もし、この広告媒体自体に物質的な価値を付加することができれば、広告媒体に対するユーザの関心を強くひきつけることができるだろうし、商品の購買意欲を促進させる働きも得られるであろう。
【０００９】
そこで、本発明は前記問題点に鑑み、コンテンツの利便性を享受しつつ、コレクションという楽しみ方を再びユーザに提供できるツールおよびシステムを提供することを目的とする。
【課題を解決するための手段】
【００１０】
上記課題を解決するための、請求項１に記載の発明は、メモリカードを保管するメモリカード用ホルダーであって、メモリカードを出し入れ可能に収納する複数のメモリポケットと、各メモリポケットに隣接して、それぞれ異なるコンテンツの情報が表示されたコンテンツ情報部と、を備え、ダウンロードして得られるコンテンツが格納されるとともに、格納されるコンテンツの内容を表示するシールが貼付されたメモリカードを、そのコンテンツの情報を表示するコンテンツ情報部と隣接するメモリポケットに収納可能としたことを特徴とするメモリカード用ホルダーである。
【００１１】
請求項２に記載の発明は、請求項１に記載のメモリカード用ホルダーであって、コンテンツ情報部に、そのコンテンツを供給するサイトに接続するためのアクセス情報が表示されていることを特徴とするメモリカード用ホルダーである。
【００１２】
請求項３に記載の発明は、請求項１または請求項２に記載のメモリカード用ホルダーであって、コンテンツ情報部が、メモリポケットに隣接して形成されたカードポケットと、カードポケットに出し入れ可能に収納されて、コンテンツの情報が表示されたコンテンツ情報カードと、を含んで構成されており、コンテンツ情報カードに、そのコンテンツの内容を表示するシールが着脱可能に貼付されており、前記シールを剥がしてメモリカードに貼付できるようにしたことを特徴とするメモリカード用ホルダーである。
【００１３】
請求項４に記載の発明は、請求項３に記載のメモリカード用ホルダーであって、コンテンツ情報カードのシールが貼付されるシール貼付領域に、そこに貼付されるシールとは異なるコンテンツの内容が表示されていることを特徴とするメモリカード用ホルダーである。
【００１４】
請求項５に記載の発明は、メモリカードを保管するメモリカード用ホルダーであって、複数のコンテンツを格納するメモリカード、を出し入れ可能に収納するメモリポケットと、コンテンツの情報が表示されたコンテンツ情報カードを出し入れ可能に収納する複数のカードポケットと、を含んで構成される複数の保管ユニット、を備え、各保管ユニットが、そこに収納される各メモリカードと関連付けされて、他の保管ユニットおよびメモリカードと区別可能に設けられていることを特徴とするメモリカード用ホルダーである。
【００１５】
請求項６に記載の発明は、請求項５に記載のメモリカード用ホルダーであって、各保管ユニットと、そこに収納される各メモリカードとが、色によって関連付けされており、他の保管ユニットおよびメモリカードと、色が一致するか否かによって区別可能に設けられていることを特徴とするメモリカード用ホルダーである。
【００１６】
請求項７に記載の発明は、コンテンツを供給するサイトと、コンテンツを広告する広告媒体と、コンテンツを格納するメモリカードと、メモリカードを保管するメモリカード用ホルダーと、を備え、広告媒体は、広告媒体に着脱可能に貼付されて、コンテンツの内容を表示するシール、を備え、メモリカード用ホルダーは、メモリカードを出し入れ可能に収納する複数のメモリポケットと、各メモリポケットに隣接して、それぞれ異なるコンテンツの情報が表示されたコンテンツ情報部と、を備え、サイトからダウンロードして得られるコンテンツがメモリカードに格納され、コンテンツが格納されるメモリカードに、そのコンテンツの内容を表示するシールが広告媒体から剥がされて貼付されたときには、そのメモリカードは、そのコンテンツの情報を表示するコンテンツ情報部と隣接するメモリポケットに収納されることを特徴とするコンテンツ収集システムである。
【００１７】
請求項８に記載の発明は、コンテンツを供給するサイトと、コンテンツを格納するメモリカードと、コンテンツの情報を表示するコンテンツ情報カードと、メモリカードを保管するメモリカード用ホルダーと、を備え、メモリカード用ホルダーは、メモリカードを出し入れ可能に収納するメモリポケットと、メモリポケットに隣接して形成されて、コンテンツ情報カードを出し入れ可能に収納するカードポケットと、を備え、コンテンツ情報カードは、コンテンツ情報カードに着脱可能に貼付されて、そのコンテンツの内容を表示するシール、を備え、サイトからダウンロードして得られるコンテンツがメモリカードに格納され、コンテンツが格納されるメモリカードに、そのコンテンツの内容を表示するシールがコンテンツ情報カードから剥がされて貼付されたときには、そのメモリカードは、そのコンテンツの情報を表示するコンテンツ情報カードが収納されているカードポケット、と隣接するメモリポケットに収納されることを特徴とするコンテンツ収集システムである。
【００１８】
請求項９に記載の発明は、コンテンツを供給するサイトと、複数のコンテンツを格納するメモリカードと、コンテンツの情報を表示するコンテンツ情報カードと、メモリカードを保管するメモリカード用ホルダーと、を備え、メモリカード用ホルダーは、メモリカードを出し入れ可能に収納するメモリポケットと、コンテンツ情報カードを出し入れ可能に収納する複数のカードポケットと、を含んで構成される複数の保管ユニット、を備え、各保管ユニットは、そこに収納される各メモリカードと関連付けされて、他の保管ユニットおよびメモリカードと区別可能に設けられており、メモリカードに、サイトからダウンロードして得られるコンテンツが格納されたときには、そのメモリカードは、関連付けされた保管ユニットのメモリポケットに収納されるとともに、そのコンテンツの情報を表示するコンテンツ情報カードが、そのコンテンツが格納されるメモリカードと関連付けされて、保管ユニットのカードポケットに収納されることを特徴とするコンテンツ収集システムである。
【発明の効果】
【００１９】
本発明では、コンテンツの内容を表示するシールが、そのコンテンツを格納したメモリカードに貼付される。こうして得られるメモリカードは、見た目に楽しく、従来の（ジャケットがついた）レコードやビデオディスクのように、コレクションする楽しみをユーザに与える。また、メモリカードを見れば即座に内容を見分けることができるので利便性がよい。特に、メモリカード自体が切手に似た形態をしていて、非常にコンパクトであるため、数が増えても嵩張らず、整理しやすく、よりいっそうユーザの収集意欲を喚起する。
【００２０】
こうして付加価値が付いたメモリカードは、専用のホルダーを用いることで、さらにいっそうユーザの収集意欲を喚起できるようになっている。すなわち、コレクターには、コレクションの対象は全て残らず収集したいという願望がある。そこで、メモリカード専用のホルダーを設けることで、ユーザに、そのホルダーのメモリポケット全てをメモリカードで埋め尽くすという目的意識を与えることができる。しかも、本発明のホルダーは、単にメモリカードを収納するだけでなく、別途用意されたコンテンツ情報カード等により、コンテンツの詳細な情報とあわせて収納できるようになっているため、ユーザの収集意欲に拍車がかかるのである。
【００２１】
また、本発明のホルダーは、広告媒体としても機能する。すなわち、予めコンテンツの詳細な情報をホルダーに含ませておくことで、ホルダー自体が、コンテンツを紹介して広告することができる。さらにアクセス情報を表示しておけば、ユーザは、そのコンテンツの供給サイトに簡単にアクセスできるため、広告の効果を直接得ることができる。また、単なるコンテンツの紹介や広告を情報として与えるだけでなく、メモリカードに貼付するシールを利用することで、ユーザの関心を高くすることができる。
【００２２】
そして、このホルダー等の各種ツール、およびこれらツールを用いたシステムに対する興味、関心の高まりにより、このシステムを導入している店舗に対する集客効果を向上させることができる。
【発明を実施するための最良の形態】
【００２３】
｛第１の実施の形態｝
以下、図面を参照しつつ本発明の実施の形態について説明する。図１は、実施の形態に係るコンテンツ収集システムを用いたサービスのイメージ図である。このサービスは、レコード製作会社やゲームソフト製作会社などのコンテンツを製作して市場に供給しているコンテンツ供給会社２と、コンテンツ供給会社２により製作されたＣＤやＤＶＤ、ゲームソフト、メモリカードなどの記録メディア等、コンテンツに用いる各種機器などを店頭販売するショップ１とが提携することにより行われる。なお、コンテンツとは、デジタルデータで表された情報の集合のことをいい、音楽や映画、ドラマ、ゲームなどが含まれる。
【００２４】
このサービスを受けるユーザは、まずショップ１（図１で示した「ＡＢＣ  ＳＴＯＲＥ」）に訪れる。ショップ１では、ＣＤやＤＶＤなどが店頭に陳列され、販売されている。それと合わせてショップ１では、図２に示すようなダウンロードセット用の棚１０が設置されている。すなわち、この棚１０には、図２に示すように、メモリカード１１、音楽プレーヤ１２、ビデオプレーヤ１５、フリーペーパー１３（「ＡＢＣ Ｆｒｉｅｄｓ」）、メモリカード用ホルダー５０（以下、単にホルダーという）が陳列されている。なお、図２では、メモリカード１１は、パッケージ１１ｐに包まれて陳列されている。パッケージ１１ｐには、１枚あるいは複数枚のメモリカード１１が包まれている。そして、ユーザは、このショップ１でホルダー５０、フリーペーパー１３、メモリカード１１などを入手する。
【００２５】
ホルダー５０は、図３に示すように、アルバム状に構成されており、ホルダー本体５１と、ホルダー本体に着脱可能に装着された複数の頁台紙５２とからなる。各頁台紙５２の裏表には、メモリカード１１を出し入れ可能に収納する複数のメモリポケット５３と、各メモリポケット５３の側方に隣接して表示されたコンテンツ情報部５５とが、それぞれ上下４段に並べて配置されている。各コンテンツ情報部５５には、それぞれ異なるコンテンツの情報が表示されている。ホルダー５０は、例えば、ゲームや音楽などのコンテンツのカテゴリー別に供給される。
【００２６】
メモリポケット５３は、図３の２点鎖線で表示した部分拡大図に示すように、頁台紙５２の表面に、四角形状のカバーフィルム５６を貼着して形成されている。カバーフィルム５６は、無色透明のプラスチックフィルム等からなり、メモリカード１１を出し入れする開口５７を一側に形成した状態で、残りの周囲の３辺を頁台紙５２に接着等して固定されている。
【００２７】
コンテンツ情報部５５は、コンテンツのタイトル、コンテンツの紹介文、コンテンツのキャラクターや一画面などの挿絵、およびそのコンテンツを供給するサイト（ダウンロードサイト）２１に接続するためのアクセス情報などからなり、頁台紙５２に印刷することによって形成されている。
【００２８】
アクセス情報として、ＱＲコード５８を用いることができる。ＱＲコード５８には、そのコンテンツをダウンロードするためのＵＲＬがコード化されて記録されている。したがって、ユーザは、ＱＲコード読み取り機能付きの携帯電話機などで、このＱＲコード５８を読み取ってコンテンツを供給するサイト２１にアクセスし、求めるコンテンツをダウンロードすることができる。
【００２９】
ＱＲコード５８以外にも、リンクリスト５９を用いてもよい。リンクリスト５９とは、コンテンツを供給するサイト２１のトップ画面から、選択されたコンテンツが表示される画面までのリンク関係を指定した情報である。一般に、「パンくずリスト」と呼ばれている情報である。ユーザは、たとえば、パソコンからアクセスし、このリストを辿っていくことで、求めるコンテンツをダウンロードすることができる。その他の２次元コードやバーコードであってもよい。
【００３０】
このように、ホルダー５０には、予め色々なコンテンツがアルバム状に整理されて説明されているため、これを手にしたユーザには、単に興味のあるコンテンツだけ楽しむということ以外にも、全てのコンテンツを収集したいというコレクション願望が生じる。その結果、コンテンツおよびメモリカード１１の販売を促進することができる。すなわち、本発明のホルダー５０には、単なるメモリカード１１の保管機能以外にも、コンテンツやメモリカード１１の販売を促進する宣伝広告機能が備わっているのである。
【００３１】
フリーペーパー１３は、無料配布される広告用の冊子であり、このショップ１のキャンペーン情報、セール情報、各種音楽情報が記載されている。そして、このフリーペーパー１３には、広告ちらし（広告媒体）１４が挟まれている。なお、広告ちらし１４は、このように無料配布されてもよいが、有料販売されてもよく、ここではその供給の手段までは限定しない。
【００３２】
広告ちらし１４は、例えば図４に示すように、ゲームソフトの宣伝広告とダウンロードのナビゲーション情報と、ゲームソフトの内容を表示するシール２４１とが一つになった広告媒体である。４つのゲームソフトの宣伝広告がそれぞれゲーム情報欄２４０に区分けして記載されている。各ゲーム情報欄２４０には、ゲームの主要画面やキャラクターなどをデザインした、見た目にも楽しいシール２４１が着脱可能に貼付されている。つまり、シール２４１は、シール台紙に貼り付けられるとともに、その外周部が周囲の紙と切断されており、容易にシール台紙から剥がすことが可能となっている。シール２４１は、メモリカード１１に貼付して用いられるため、その大きさや形状はメモリカード１１にあわせて形成されている。シール２４１の近傍には、ゲームタイトルやゲームの紹介文、サイト２１に接続するためのアクセス情報などが印刷されている。
【００３３】
アクセス情報にはＱＲコードを用いることもできるが、ここでのアクセス情報は、電子すかしとしてシール２４１に埋め込まれている。つまり、ゲームソフトをダウンロードするためのＵＲＬが、シール２４１に印刷された画像の中に、人の目で見ても解らないようにコード化されて記録されている。電子すかしであれば、ゲーム情報欄２４０のデザインを損なわずに済むし、アクセス情報の表示スペースを確保する必要もなく、表示スペースを効率よく利用できる点で有利である。メモリカード１１に貼付した後も、メモリカード１１から直接関連するサイト２１にアクセスできる。そして、ゲーム情報欄２４０の下側には、別のアクセス情報として、ダウンロードのリンクリスト２４５が印刷されている。
【００３４】
メモリカード１１は、フラッシュメモリを採用した小さなカード型の記憶装置であり、ダウンロードしたコンテンツを格納するための媒体である。ユーザは、ダウンロードしたコンテンツをメモリカード１１に格納し、このメモリカード１１を音楽プレーヤ１２やビデオプレーヤ１５などに挿入して、音楽を聴いたり、映画を見たり、ゲームを楽しんだりすることが可能である。
【００３５】
メモリカード１１としては、たとえば、ＯＴＰ（One Time Programmable）メモリを採用することができる。ＯＴＰメモリには、複数回のデータ書き込みを保障する機能を省くことで、ＭＴＰ（Multi Time Programmable）メモリに比べて安価に提供されるタイプのものが存在する。メモリカード１１に安価なＯＴＰメモリを利用することで、一つのメモリカード１１に１つのコンテンツだけを格納するようにしても、ユーザのコスト負担を小さくでき、記憶媒体としての機能以外に、これに貼付されるシール２４１と相俟ってコレクション対象として新たな価値を生み出すことができる。もっとも、メモリカード１１はＯＴＰメモリに限られるものではなく、ＭＴＰメモリや追記型のＯＴＰメモリなど、複数回のデータ書き込みが可能なメモリカードを採用してもよい。
【００３６】
その他、メモリカード１１を再生するために用いる音楽プレーヤ１２やビデオプレーヤ１５などは、ユーザによって適宜購入される。
【００３７】
次に本システムを用いたサービスの取り扱いについて説明する。まず、ショップでホルダー等を入手したユーザは、ホルダー５０や広告ちらし１４に表示されたコンテンツの情報に基づいて、求めるコンテンツを選択する。そして、ホルダー５０や広告ちらし１４に表示されたアクセス情報に従って、携帯電話やパソコンなどからコンテンツを供給するサイト２１にアクセスし、ダウンロードすることによりコンテンツを取得する。取得したコンテンツを、メモリカード１１に格納するのである。
【００３８】
続いてユーザは、そのコンテンツを格納したメモリカード１１に、そのコンテンツの内容が表示されたシール２４１を広告ちらし１４から剥がして貼付する。こうすることで、単なる記憶媒体でしかなかったメモリカード１１が、切手と同じように、見て楽しむこともできるコレクションの対象となるのである。
【００３９】
こうして得られたメモリカード１１は、図３に示すように、格納したコンテンツの情報を表示するコンテンツ情報部５５と隣接するメモリポケット５３に収納して保管する。一つメモリカード１１を保管すると、コレクターは本能的に空いたメモリポケット５３が気になるものである。したがって、ホルダー５０の存在によって、ホルダー５０に表示されたコンテンツを収集し、ホルダー５０のメモリポケット５３全てをメモリカード１１で埋め尽くすという目的意識をユーザに与えることができる。
【００４０】
ユーザが、コンテンツを利用する場合には、ホルダー５０に保管したメモリカード１１の中から再生したいコンテンツを選んで取り出す。その際、コンテンツ情報部５５の紹介文などが役に立つ。アクセス情報に基づいて所定のサイト２１に接続すれば、より詳しい情報を入手することもできる。取り出したメモリカード１１は、音楽プレーヤ１２やビデオプレーヤ１５、ゲーム機１６などで再生して、音楽やゲーム等を楽しむことができる。
【００４１】
本実施の形態のサービスは、レコード会社や、ゲームソフト会社などのコンテンツ供給会社２と、コンテンツ関連製品の広範な販売網を備えたショップ１とが提携することによって提供される。すなわち、コンテンツ供給会社２は、ショップ１の販売網を利用して、ホルダー５０や広告ちらし１４をユーザに提供することで、コンテンツのダウンロードを促進しているのである。
【００４２】
このとき、広告ちらし１４は、単にコンテンツの紹介文が印刷されているだけでなく、メモリカード１１用のシール２４１が貼付されているので、訴求効果が高い。ホルダー５０も、先に説明したように、単にメモリホルダー１１を保管するだけでなく、広告媒体としても機能している。したがって、これら通常よりも優れた広告効果によって、広告関連の費用を抑制することができる。その結果、ホルダー５０やメモリカード１１等のユーザへの提供価格を小さくできるため、ユーザは、費用面で本システムの恩恵を受けることができる。コンテンツ供給会社２は、ユーザの購買意欲を喚起することができるため、コンテンツの販売を促進することができる。そして、ショップ１も、このシステムの導入によって集客効果が向上し、販売を促進することができるのである。
【００４３】
｛第２の実施の形態｝
図５〜図８は、本発明の第２の実施の形態を示したものである。そこでは、ホルダー５０の広告機能を強化して、広告ちらし１４を用いなくてもよいようにした。
【００４４】
すなわち、本実施の形態では、図５に示すように、ホルダー５０のコンテンツ情報部５５は、コンテンツの情報が表示されたコンテンツ情報カード５５ａと、コンテンツ情報カード５５ａを出し入れ可能に収納するカードポケット５５ｂとで構成されている。そして、各カードポケット５５ｂには、それぞれ異なったコンテンツ情報カード５５ａが収納されている。
【００４５】
メモリポケット５３の構成は、先の実施の形態と同じである。ただし、本実施の形態では、図５および図７に示すように、カバーフィルム５６の、開口５７が設けられた一側に対向する他側の略中央に、カバーフィルム５６の一部を切り欠いた切欠部６０を形成した。切欠部６０を形成したことで、メモリポケット５３に収納したメモリカード１１を取り出す際、この切欠部６０に露出するメモリカード１１を指で開口側にスライドさせることで、メモリカード１１を簡単に取り出すことができる。
【００４６】
カードポケット５５ｂの構成は、図５の２点鎖線で示した部分拡大図に示すように、メモリポケット５３とほぼ同様である。すなわち、無色透明で四角形状のカバーフィルム５５ｃが、コンテンツ情報カード５５ａを出し入れする第２開口５５ｄを一側に形成した状態で、残りの周囲の３辺を頁台紙５２の表面に接着等して固定されている。ただし、コンテンツ情報カード５５ａの寸法分だけ、メモリポケット５３よりも横長に形成されている。
【００４７】
コンテンツ情報カード５５ａは、長方形のカード状に加工した台紙の表面に、コンテンツの情報を印刷して形成されている。印刷されているコンテンツの情報は、先の実施の形態におけるコンテンツ情報部５５と同様であり、コンテンツのタイトル、コンテンツの紹介文、およびそのコンテンツを供給するサイト（ダウンロードサイト）２１に接続するためのアクセス情報などである。そして、コンテンツ情報カードの表面には、先の実施の形態で広告ちらし１４に貼付されていたシール２４１と同様の、コンテンツをデザインしたシール２４１ｂが着脱可能に貼付されている。
【００４８】
そして、シール２４１ｂが貼付されるコンテンツ情報カード５５ａのシール貼付領域５５ｅには、図６および図７に示すように、そこに貼付されるシール２４１ｂとは異なるコンテンツの内容が表示されている。すなわち、貼付したシール２４１ｂの裏側のコンテンツ情報カード５５ａの表面に、シール２４１ｂに表示されたデザインと異なるデザインを印刷しておく。こうすることで、シール２４１ｂを剥がす際に楽しむことができるし、シール２４１ｂを剥がした後もシール２４１ｂとは別のデザインが表示されたコンテンツ情報カードを得ることができる。
【００４９】
本実施の形態では、ユーザは、ショップ１でホルダー５０、メモリカード１１等を入手する。広告ちらし１４は必ずしも必要ではない。すなわち、ユーザは、図６に示すように、ホルダー５０の各コンテンツ情報カード５５ａの中から再生したいコンテンツを選ぶことができ、シール２４１ｂを得ることができるからである。コンテンツ情報カード５５ａに表示されたＱＲコード５８等のアクセス情報に基づいて、所定のサイト２１からそのコンテンツをダウンロードして取得し、メモリカード１１に格納する。そして、コンテンツ情報カード５５ａに貼付されたシール２４１ｂを剥がして、そのコンテンツを格納したメモリカード１１に貼付する。もちろん、シール２４１ｂをメモリカード１１に貼付した後で、そのメモリカード１１にコンテンツを格納してもよい。
【００５０】
シール２４１ｂを剥がした後のコンテンツ情報カード５５ａは、元のカードポケット５５ｂに収納するとともに、そのカードポケット５５ｂと隣接するメモリポケット５３に、得られたメモリカード１１を収納する。
【００５１】
図７は、図５の２点鎖線部分の部分拡大図であり、コンテンツ情報カード５５ａとメモリカード１１の両者をホルダー５０に収納した状態を示すイメージ図である。図７に示すように、メモリカード１１は、シール２４１ｂを貼付することで、新たにコレクションの対象としての価値が付与される。そして、コンテンツ情報カード５５ａも、シール台紙としての機能とともに、シール２４１ｂを剥がした後もそのデザイン的価値が損なわれず、シール２４１ｂを貼付したメモリカード１１と横並びで表示することで、よりいっそうユーザの収集意欲を喚起することができるのである。
【００５２】
なお、コンテンツ情報カード５５ａは、ホルダー５０と別に設けておくこともできる。例えば、図８に示すように、広告ちらし１４にコンテンツ情報カード５５ａを複数含ませておくことができる。具体的には、広告ちらし１４に、コンテンツ情報カード５５ａを切り取ることができるカード部６２を形成する。カード部６２には、直接広告ちらし１４にコンテンツの情報が印刷形成されている。また、カード部６２には、コンテンツの内容を表示するシール２４１ｂが着脱可能に貼付されている。そして、カード部６２の外周にそって破線状に貫通孔が形成された切取線６３が設けられて、その切取線６３にそって切り取ることで、簡単にコンテンツ情報カード５５ａを得ることができるようになっている。
【００５３】
したがって、この場合は、ユーザは、ショップ１で、求めるコンテンツ情報カード５５ａが含まれる広告ちらし１４を入手する。そして、そこからコンテンツ情報カード５５ａを取得し、ホルダー５０に収納するのである。コンテンツ情報カード５５ａをホルダー５０とは別に設けておくと、コンテンツの種類の増加や、新しいコンテンツを追加する場合などに有利である。また、広告ちらし１４に含ませるのではなく、コンテンツ情報カード５５ａそのものをショップ１で供給するようにしてもよい。
【００５４】
そのほか、先の実施の形態において、コンテンツ情報部５５を本実施の形態のコンテンツ情報カード５５ａのように構成し、コンテンツ情報部５５にシール２４１ｂを着脱可能に貼付して、広告ちらし１４を用いないで済むようにすることもできる。
【００５５】
｛第３の実施の形態｝
図９は、本発明の第３の実施の形態を示したものである。そこでは、メモリカード１１ｂに複数のコンテンツを格納するとともに、メモリカード１１ｂにはシールを貼付しない構成とした。
【００５６】
すなわち、ここでのホルダー５０は、メモリポケット８０と、コンテンツ情報カード８１を収納する複数のカードポケット８２とで一つの保管ユニット８３を構成したことに特徴がある。
【００５７】
具体的には、ホルダー５０の頁台紙５２の片面に、異なるコンテンツ情報カード８１が収納される６個のカードポケット８２と、一つのメモリカード１１ｂが収納されるメモリポケット８０とが形成されている。そして、その頁台紙５２の色とメモリカード１１ｂの色とが同じ色に着色されており、各頁台紙５２とそこに収納されるメモリカード１１ｂは、それぞれ異なる色に着色されて区別可能になっている。つまり、保管ユニット８３とそこに収納されるメモリカード１１ｂとは、色によって関連付けされており、ユーザは、色が一致するか否かによって、メモリカード１１ｂを収納すべき保管ユニット８３を選択することができるようになっている。
【００５８】
例えば、１０色の異なる色で区別可能にすれば、最大で合計６０個のコンテンツを整理して保管することができる。頁台紙５２に形成するカードポケット８２や色の数を増やすことで、より多くのコンテンツを整理して保管することができる。
【００５９】
本実施の形態では、各保管ユニット８３と関連付けられたメモリカード１１ｂであってコンテンツが未格納のメモリカード１１ｂを、予めホルダー５０にセットした状態でユーザに供給する。あるいは、ホルダー５０とは別に各色のメモリカード１１ｂを供給し、ユーザが自由に色を選択できるようにして、ユーザが必要に応じてメモリカード１１ｂを入手できるようにする。
【００６０】
コンテンツ情報カード８１も、予めホルダー５０にセットした状態、あるいは、ユーザが必要に応じて入手可能にショップ１で供給する。なお、本実施の形態のコンテンツ情報カード８１には、シールは貼付されておらず、デザインとして直接印刷されている。
【００６１】
本形態では、メモリカード１１ｂにシールを貼付しないので、例えば、再生機器への出し入れの際に生じるシール噛みなどのトラブルを招くおそれがない。色によって関連付けすることで、一目見ただけで識別でき、見た目にもきれいである。
【００６２】
メモリカード１１ｂに格納するコンテンツは、追加したり、書き換えたりすることができる。その場合は、それに応じて、保管ユニット８３のカードポケット８２に収納したコンテンツ情報カード８１を差し替えればよい。
【００６３】
なお、必ずしも頁台紙５２の全体を着色する必要はなく、一部だけを着色してもよい。メモリカード１１ｂも同様である。
【００６４】
関連付けの手段は、色以外にも、例えば、模様や記号を用いることができる。要は、メモリカード１１ｂ自体が着色や印刷等されていて、識別可能な情報を備えていればよい。そして、その情報に関連付けて、保管ユニット８３を形成するのである。
【図面の簡単な説明】
【００６５】
【図１】本実施の形態に係るコンテンツ収集システムのイメージ図である。
【図２】ショップに設置される棚の概観図である。
【図３】ホルダーのイメージ図である。
【図４】広告ちらしのイメージ図である。
【図５】第２の実施の形態のホルダーのイメージ図である。
【図６】第２の実施の形態のホルダーの取り扱い説明図である。
【図７】第２の実施の形態のホルダーの一部を示すイメージ図である。
【図８】第２の実施の形態の広告ちらしの別形態を示すイメージ図である。
【図９】第３の実施の形態のホルダーのイメージ図である。
【符号の説明】
【００６６】
１      ショップ
２      コンテンツ供給会社
１１    メモリカード
１２    音楽プレーヤ
１４    広告ちらし
５０  ホルダー
５３  メモリポケット
５５  コンテンツ情報部
５５ａ  コンテンツ情報カード
５５ｂ  カードポケット
８０  メモリポケット
８１  コンテンツ情報カード
８２  カードポケット
８３  保管ユニット
【図１】
2008126439.tif 000003
【図２】
2008126439.tif 000004
【図３】
2008126439.tif 000005
【図４】
2008126439.tif 000006
【図５】
2008126439.tif 000007
【図６】
2008126439.tif 000008
【図７】
2008126439.tif 000009
【図８】
2008126439.tif 000010
【図９】
2008126439.tif 000011